(57)【特許請求の範囲】
【請求項１】
該当するフラットパネルに適した表示特性情報を予め変更可能に保存しているメモリ部と、
前記メモリ部に保存している表示特性情報に基づいてグラフィックソースにより調整された各種ディスプレイ信号をシリアルバスを通じて受信し、前記各種ディスプレイ信号に基づいて駆動信号を出力するタイミングコントローラーと、
前記タイミングコントローラーから受信した駆動信号に基づいてデータラインに映像信号を出力するデータドライバーと、
前記タイミングコントローラーから受信した駆動信号に基づいてゲートラインに制御信号を出力するスキャンドライバーと、
を含むフラットパネル表示装置であり、
前記表示特性情報は、映像情報の垂直周波数、水平周波数、及びメイン周波数を含む動作周波数、ガンマ値、フリッカー電圧、輝度、ＦＲＣ情報、Ｉ／Ｏフォーマット、並びに、ブランキング期間のうちの少なくとも１つを示し、
前記グラフィックソースは、使用者から前記ブランキング期間の変更を受け付け、前記ブランキング期間の変更に応じた各種ディスプレイ信号を前記タイミングコントローラーに出力することで、ＣＲＴ走査方式よりもアクティブマトリックス方式の方が、映像データを出力する期間を長くするようにブランキング期間が調整された新たな期間のディスプレイ信号を生成するフラットパネル表示装置。
【請求項２】
前記メモリ部は不揮発性メモリである、請求項１に記載のフラットパネル表示装置。
【請求項３】
使用者が所定のプログラムを使用して入力する所定のデータに応じて前記グラフィックソースから前記シリアルバスに出力される所定の信号によって、前記表示特性情報は変更可能である、請求項１に記載のフラットパネル表示装置。
【請求項４】
使用者が、前記フラットパネル表示装置の外部に設置された所定のキーを使用して所定のデータを入力することにより、前記表示特性情報は変更可能である、請求項１に記載のフラットパネル表示装置。
【請求項５】
該当するフラットパネルに適した表示特性情報を予めメモリ部に変更可能に保存しておく段階と、
前記メモリ部に保存している表示特性情報に基づいてグラフィックソースにより調整された各種ディスプレイ信号をシリアルバスを通じて受信する段階と、
前記グラフィックソースから受信した各種ディスプレイ信号に基づいて、該当するフラットパネルに適した表示特性情報を前記メモリ部から抽出して、抽出された表示特性情報に基づいて駆動信号を出力する段階と、
前記駆動信号に基づいてデータラインに映像信号を出力する段階と、
前記駆動信号に基づいてゲートラインに制御信号を出力する段階と、
を含むフラットパネル表示装置の駆動方法であり、
前記表示特性情報は、映像情報の垂直周波数、水平周波数、及びメイン周波数を含む動作周波数、ガンマ値、フリッカー電圧、輝度、ＦＲＣ情報、Ｉ／Ｏフォーマット並びに、ブランキング期間のうちの少なくとも１つを示し、
前記グラフィックソースは、使用者から前記ブランキング期間の変更を受け付け、前記ブランキング期間の変更に応じた各種ディスプレイ信号を前記タイミングコントローラーに出力することで、ＣＲＴ走査方式よりもアクティブマトリックス方式の方が、映像データを出力する期間を長くするようにブランキング期間が調整された新たな期間のディスプレイ信号を生成するフラットパネル表示装置の駆動方法。
【発明の詳細な説明】
【技術分野】
【０００１】
本発明はフラットパネル表示装置及びその駆動方法に関し、より詳しくはフラットパネル表示装置を駆動する駆動装置及びその駆動方法に関する。
【背景技術】
【０００２】
商用化されている代表的なフラットパネル表示装置としては液晶表示装置（LCD:Liquid Crystal Display）及びプラズマ表示装置（PDP:Plasma Display Panel）があり、その他にもＥＬ（Electro Luminescence）表示装置等に関する開発が進められている。
フラットパネルディスプレイモジュールは、普通二枚のガラス基板の間にセルがマトリックス形態で配列されているフラットパネルと、フラットパネルを駆動するＰＣＢモジュール、及びこれらを保護し一体化させるためのケースで構成される。
【０００３】
一方、図１に示された通常のフラットパネルディスプレイモジュールの全体回路構成図のように、通常フラットパネル４０を駆動するＰＣＢモジュールは以下のような構成から成っている。ＰＣなど外部からＲ、Ｇ、Ｂ映像データと同期信号などを受信してＦＰＧＡ（Flat Pin Grid Array）形態のカスタムＩＣ（Integrated Circuit）であるタイミングコントローラー（T-con:Timing-controller）等により処理して、フラットパネル４０の構造に合うように映像データと各種制御信号を処理して生成するメインＰＣＢ１０、メインＰＣＢ１０から受けたロードライバー制御信号５０と電源５１によってロー信号線にスキャニング信号を供給するロードライバー２０、及びメインＰＣＢ１０で処理された映像データをデータ制御信号６０と階調電圧６１を受けてフラットパネル４０に供給するカラムドライバー３０からなっている。
【発明の概要】
【発明が解決しようとする課題】
【０００４】
しかし、メインＰＣＢ１０上に具現される従来の駆動回路は、タイミングと各種入力される駆動インターフェース条件がパネルに合うように設定されたスペック（specification）に限定されるマスキングタイミングセッティング（Masking Timing Setting）方式になっており、使用者条件、ディスプレイソース、モニター製品の入力条件変化に応じて、タイミング的・駆動的に変更修正を行うことが不可能である。つまり、駆動可能範囲であっても駆動装置でハードウェアー的オプション処理でなければ、設定が固定されているため表示特性の最適化を流動的に行うことが不可能である。これは、フラットパネルディスプレイの入力条件が基本的にベサ（VESA）スペックで入力タイミング条件を有するようになっているためであり、一方、グラフィックソース側はフラットパネルディスプレイモジュールに保存されたＤＤＣ（Digital Data Communication）情報を基準にパネル駆動のためのデジタルインターフェースタイミングコントロール信号を発生させて表示する。その他にも、市場に発表されているフラットパネルディスプレイモニター製品は階調区分のためのガンマ電圧と各種電源がセッティングされている。
【０００５】
従来技術によると、オプションボードを追加することにより使用者がＯＳＤ（On Screen Display）機能による画面表示状態を確認しながら調整したりハードウェアの直接調整などで、ガンマ、フリッカー電圧、輝度、スケーリング、ＦＲＣ（Frame Rate Control）、Ｉ/Ｏフォーマットなどを調整できるようにすることはできる。しかし、このような機能のみによると、万一フラットパネル駆動回路上でＩ/Ｏ（Input/Output）タイミングを変更（駆動周波数の変更または最少最適のブランキングタイムへの変更）して最適の画面を駆動することができたり、またはグラフィックソースで追加回路を通じて標準信号を処理することによって、最適の条件で前記のように駆動周波数の変更または最少最適のブランキングタイムへの変更になるようにして非常に良い駆動環境になるとしても、Ｉ/Ｏフォーマットが汎用的なディスプレイ標準を満足しなければならないので、前記条件がいくら良くても変更に対するリスクが非常に大きくならざるをえない。
【０００６】
そして、特にモニター用ではディスプレイソースのＩ/Ｏフォーマットが異なるものを駆動するためにインターフェースが要求され、もしフレーム周波数またはブランキング区間個数に差異が生じるとＦＲＣ調整が可能な追加システムボード（Ａ/ＤボードまたはＤ/Ｄボードなど）のオプションボードによる支援が必要である。この時もまた、フラットパネルディスプレイにＩ/Ｏフォーマットの限定性が生じてディスプレイ製品の効率を１００％使用できず、前記オプションボードによるジター（jitter）や両者間のインターフェース条件がよく合わなくて画質に悪い影響を与えるなど、モニター製品の特性最適化に十分寄与できない。
【０００７】
前記のように、フラットパネルディスプレイでの固定性は、ＣＲＴ（Cathode Ray Tube）ディスプレイとはその表示方式が異なるため発生するものであって、ＣＲＴの場合にはフレーム周波数が４０Ｈｚから８５Ｈｚまで非常に幅広く駆動することができるが、フラットパネルディスプレイの駆動方式はパネルの特性によって固定される。つまり、フレーム周波数が、現在パネルの特性が６０Ｈｚで最適化されたものであれば、当然６０Ｈｚの条件で駆動条件も最適化される。また、グラフィックカードまたはディスプレイソースが全てＶＥＳＡ規格に従うわけではないために、業者によって少しずつ偏差が発生して標準タイミングとは多少異なるデータが供給される。したがって、フラットパネルの最適駆動条件タイミングがＶＥＳＡ標準信号と異なる場合が生じる。また、業者によって標準信号に少しずつ偏差が生じる場合に、このように流動的なタイミングを調整するために追加的なオプションボードを使用するが、それだけでは前記に言及したようにその機能が不充分で、その費用も非常に大きいと言える。
【０００８】
そして、ベサディスプレイ入力タイミングの基準は、ＣＲＴ基準で電子ビームのライン走査後、その次のラインに戻るブランキング時間（水平同期信号、バックポーチ（back porch）、フロントポーチ（front porch））と１フレームを走査した最後の位置で再び最初に戻ってくるのに掛かるブランキング時間（垂直同期信号、バックポーチ、フロントポーチ）がフレーム周波数別にスペック化されている。しかし、フラットパネルの駆動では走査方式でなくアクティブマトリックス方式などの方法が利用されるので、ラインまたはフレームの最後の表示信号の伝達後、帰線所要時間がＣＲＴとは異なって非常に最小画素（水平帰線時）またはライン（垂直帰線時）程度のブランキング時間だけあれば良い。また、Ａ/Ｄボードなどのオプションボードを使用することによって、ＶＥＳＡ条件での不必要なブランキング時間により動作周波数が高まり、ブランキング時間が長くて不安定となるため、インターフェースプロセスやＩ/Ｏが不安定になると、フラットパネルの駆動条件も非常に不安定になる。したがって、前記のようにブランキングタイムを減らして最適の駆動タイミング条件でフラットパネルを駆動することができるようにし、表示特性が安定化され信頼性も良くなるようにする必要が生じた。
【０００９】
また、製品の偏差または使用者の環境及び条件によって表示特性が異なって調整されなければならない場合がある。このようなフラットパネルモニター製品の場合に、従来はフラットパネルの特性に合うように固定された最適駆動条件の追加的なオプションボードまたはインターフェースボードによって調整する必要があった。しかし、ガンマ、コントラスト、ブライト、フリッカー、及びその他の表示特性の調整によってフラットパネルの特性に合うように固定された最適駆動条件を変更する場合に、Ａ/Ｄボードやオプションボードを使用すれば、クラッピング（clapping）により対比される上下の階調がとぎれてしまい、フラットパネル特性を１００％の効率で用いることができない問題があった。
【００１０】
したがって、前記に記述されたような、オプションボードの使用によるコストなどの上昇を除去するのは当然のことであり、インターフェース条件の不一致によるジターなどの発生を抑制する根本的な駆動方法が必要となった。つまり、解像度情報及び映像信号の垂直周波数、水平周波数、映像信号のメイン周波数など動作周波数に対する情報だけでなく、使用者が調整できるようになっているガンマ、フリッカー電圧、輝度値などに対するデジタル情報をグラフィックソースとフラットパネルディスプレイモジュール間で共有できるようにし、使用者が更新できるようにして、ＦＲＣ、Ｉ/Ｏフォーマット、その他の表示特性情報などの変更を柔軟にする必要が生じた。特に、グラフィックソースから出力される信号が標準規格信号の他に使用者の定義によってブランキング時間が変更されて映像信号の周波数まで変更された映像信号の場合であっても、基本的にフラットパネル表示装置の駆動に適するように最大限活用することができるようにすることが必要である。
【００１１】
従って、本発明の目的は追加的なオプションボードなしにも、ＶＥＳＡ標準ＤＤＣ機能をするシリアルバスを利用して、駆動装置内でＩ/Ｏタイミング及びその他の表示特性の保存と共有が可能であり、調整とアップロードを可能にして、幅広くて柔軟なインターフェースを有するフラットパネル表示装置及びその駆動方法を提供することにある。
【課題を解決するための手段】
【００１２】
このような技術的課題を達成するための本発明の一つの特徴によるフラットパネル表示装置は、該当するフラットパネルに適した表示特性情報を予め変更可能に保存しているメモリ部と、
前記メモリ部に保存している表示特性情報に基づいてグラフィックソースにより調整された各種ディスプレイ信号をシリアルバスを通じて受信し、前記各種ディスプレイ信号に基づいて駆動信号を出力するタイミングコントローラーと、
前記タイミングコントローラーから受信した駆動信号に基づいてデータラインに映像信号を出力するデータドライバーと、
前記タイミングコントローラーから受信した駆動信号に基づいてゲートラインに制御信号を出力するスキャンドライバーと、
を含むフラットパネル表示装置であり、
前記表示特性情報は、映像情報の垂直周波数、水平周波数、及びメイン周波数を含む動作周波数、ガンマ値、フリッカー電圧、輝度、ＦＲＣ情報、Ｉ／Ｏフォーマット、並びに、ブランキング時間のうちの少なくとも１つを示し、
前記グラフィックソースは、使用者から前記ブランキング期間の変更を受け付け、前記ブランキング期間の変更に応じた各種ディスプレイ信号を前記タイミングコントローラに出力することを特徴とする。
【００１３】
ここで、前記メモリ部は不揮発性メモリで構成することができる。
また、使用者が所定のプログラムを使用して入力する所定のデータに応じて前記グラフィックソースから前記シリアルバスに出力される所定の信号によって、前記表示特性情報が変更可能な構成とすることができる。
さらに、使用者が、前記フラットパネル表示装置の外部に設置された所定のキーを使用して所定のデータを入力することにより、前記表示特性情報が変更可能な構成とすることができる。
【００１４】
本発明のフラットパネル表示装置の駆動方法は、
該当するフラットパネルに適した表示特性情報を予めメモリ部に変更可能に保存しておく段階と、
前記メモリ部に保存している表示特性情報に基づいてグラフィックソースにより調整された各種ディスプレイ信号をシリアルバスを通じて受信する段階と、
前記グラフィックソースから受信した各種ディスプレイ信号に基づいて、該当するフラットパネルに適した表示特性情報を前記メモリ部から抽出して、抽出された表示特性情報に基づいて駆動信号を出力する段階と、
前記駆動信号に基づいてデータラインに映像信号を出力する段階と、
前記駆動信号に基づいてゲートラインに制御信号を出力する段階と、
を含むフラットパネル表示装置の駆動方法であり、
前記表示特性情報は、映像情報の垂直周波数、水平周波数、及びメイン周波数を含む動作周波数、ガンマ値、フリッカー電圧、輝度、ＦＲＣ情報、Ｉ／Ｏフォーマット並びに、ブランキング時間のうちの少なくとも１つを示し、
前記グラフィックソースは、使用者から前記ブランキング期間の変更を受け付け、前記ブランキング期間の変更に応じた各種ディスプレイ信号を前記タイミングコントローラに出力することを特徴とする。
【発明の効果】
【００１５】
本発明によってフラットパネル表示装置を駆動することにおいて、オプションボードの使用によるコストなどの上昇を除去するのは当然のことであり、インターフェース条件の不一致によるジターなどの発生を源泉的に抑制することができる。
また、、ディスプレイ用グラフィックカードまたはディスプレイソースが、このＩ/Ｏフォーマット情報をＤＶＩまたはＤ−ＳＵＢなどのインターフェースケーブルコネクタのシリアルバスまたはＩ２Ｃバスを通じてフラットパネルの駆動条件を読み出してＩ/Ｏインターフェースされる最適の条件を探したり、使用者の調整またはディスプレイソースで要求されるＩ/Ｏタイミングを指定して最適条件でセッティング値を再びフラットパネル側に送り、ディスプレイソースで要求するディスプレイタイミングでセッティングすることができるようにすることにより、ＶＥＳＡ以外のどの規格のタイミング条件でもグラフィック信号を支援できるようにすることができる。特に、同一ディスプレイ解像度で同一フレーム周波数である時に、フラットパネルの駆動周波数がＶＥＳＡ規格より低い周波数でも駆動が可能になり、周波数が低くなればフラットパネルの特性上、画素表示のための充電時間などが長くなったり画素データ処理に時間的余裕が生じて、表示特性が改善される効果がある。
【００１６】
また、フラットパネルの最適駆動条件タイミングがＶＥＳＡ標準信号と異なったり、標準信号が業者によって少しずつ偏差が生じる場合に、このように流動的なタイミングをタイミングコントローラーのシリアルバス（Ｉ２Ｃバス、ＳＰＩバス、３-ＷＩＲＥバスなど）インターフェースによって自由に入力タイミングと出力タイミングを調整できる。そして、そのデータセッティング値をＤＤＣ（Digital Data Communication）ディスプレイ情報を保存するメモリに保存してタイミングに関する情報を共有するようにして、Ｉ/Ｏの正確な情報を保存して継続的な更新や、外部環境の変化にも継続的な調整を可能にすることによって、追加的なオプションシステム（Ｓｃａｌｅｒ、ＤＳＰ、ＦＲＣ機能を有するＡ/Ｄボードなど）がなくても駆動条件変更によるＤＤＣディスプレイ情報のコントロールが可能になり、モニター製品のタイミングマージンに対する特性を広範囲に確保できるようになる。
【００１７】
また、表示特性のうち、ガンマは外部で抵抗または電圧分割方式で固定された電圧を発生してガンマが目標値に固定される。このため、Ａ/Ｄボードを使用したり他の中間インターフェースによってコントラストやブライトを調整するようになれば、階調全体に対するガンマ調整ができなくなるが、シリアルバスによって電圧が自由にセッティングされてモニター製品階調特性水準は変化なく所望の値に調整されるようにしてフラットパネルの輝度効率を１００％使用しながら調整が可能になる。
【００１８】
また、使用者が調整した値やグラフィックソースの要求によってセッティングされる値はシリアルバスを通じて共有されるメモリなどの保存装置に保存してモニター製品の状態と情報を共有し調整が可能であるだけでなく、更新/再入力が可能になって最適の表示特性情報を管理することができる。
【図面の簡単な説明】
【００１９】
【図１】通常のフラットパネルディスプレイモジュールの全体構成を説明するためのブロック図である。
【図２】本発明の実施例によるグラフィックソース部とフラットパネルディスプレイモジュールを示すブロック図である。
【図３】従来の技術によってグラフィックソース部で発生するディスプレイ信号の一例である。
【図４】本発明の実施例によってグラフィックソース部で発生するディスプレイ信号の一例である。
【図５】従来の技術によってオプションボードを使用する時のガンマ変化を示した図面である。
【図６】本発明の実施例によってシリアルバスを通じて表示特性を調整する時のガンマ変化を示した図面である。
【発明を実施するための形態】
【００２０】
以下、本発明の属する技術分野における通常の知識を有する者が本発明を容易に実施できる好ましい実施例によるフラットパネル表示装置の具体的な構成及び動作を添付した図面を参照しながら詳細に説明する。
図２のように、本発明の実施例による液晶表示装置（フラットパネル表示装置）の基本構成は、グラフィックソース部３１０を含むグラフィックソース３００と、コネクタ４１０、Ｄ/Ａ変換部４２０、メモリ部４３０及びタイミングコントロール部４４０とを含む液晶パネルディスプレイモジュール４００からなる。ここで、本発明の実施例による液晶表示装置では、従来のオプションボードの機能を全て実現することができ、オプションボードを除去してもそれ以上の機能を維持し、結果的にコストダウンにも寄与する。また従来の構成のようにオプションボードの採用が不要であるが、これを採用する場合にも本発明の特徴による全ての機能実現に支障がない。
【００２１】
グラフィックソース部３１０はＰＣ本体やその他の映像信号を出力するシステム、つまり、グラフィックソース３００の一部として、同期信号、グラフィック信号、及びその他の制御信号を生成して出力する装置に当たる。特に、シリアルバスを通じて液晶パネルディスプレイモジュールに用いる液晶パネル（フラットパネル）の表示特性情報を読み出して解釈することにより、対応されている新たな規格のディスプレイ信号を出力する。
【００２２】
コネクタ４１０は、ＰＣ本体などグラフィックソース３００のグラフィックソース部３１０から出力されて所定のケーブル３１１、３１２を通じて伝えられるディスプレイ信号を受信するためのＤＶＩやＤ−ＳＵＢなどのシリアルバス用コネクタを言う。
Ｄ/Ａ変換部４２０は、メモリ部４３０に保存されている液晶パネルの表示特性情報に含まれた所定の画面表示情報をアナログ信号に変換する。つまり、使用者が調整できるようになっている液晶パネルの表示特性情報の中でＤ/Ａ変換になってアナログ電圧として供給されなければならないガンマ、フリッカー電圧、輝度などの画面表示情報を、デジタルデータ値として受信しアナログ電圧に変換してＰＣＢモジュールの各対応回路に供給する。ここで、前記のような一連の動作は一般的な液晶表示装置の動作と同様にタイミングコントロール部４４０の制御を受けて実行される。
【００２３】
メモリ部４３０は、使用者が変更可能なフラットパネルの表示特性情報を保存しており、前記グラフィックソース部３１０と共有されている。ここで、前記液晶パネルの表示特性情報は液晶パネルの規格に関する情報であって、液晶パネルを駆動するための解像度情報と映像信号の垂直周波数、水平周波数、映像信号のメイン周波数など動作周波数情報などに関する情報だけでなく、前記使用者が調整できるようになっているガンマ、フリッカー電圧、輝度値などに関するデジタル情報を言う。以上のような情報を記憶するメモリ部は、ユーザーが書き込み可能なＰＲＯＭや、書き換え可能なＥＰＲＯＭ等に代表される不揮発性メモリであっても良い。
【００２４】
タイミングコントロール部４４０は、シリアルバスを通じてグラフィックソース部３１０から出力されるディスプレイ信号を受けて演算処理して、液晶パネルを駆動させるディスプレイ信号を出力する。つまり、前記液晶パネルの表示特性情報に対応する映像信号、制御信号など液晶パネルのディスプレイ信号を出力してＰＣＢモジュールの各対応回路に供給する。
【００２５】
このような構造からなる本発明の実施例による液晶表示装置の動作をより詳細に説明する。
まず、ＣＲＴの場合にはフレーム周波数が４０Ｈｚから８５Ｈｚまで非常に幅広く駆動できるが、これとは異なって、液晶パネルディスプレイの駆動方式はパネルの特性によって固定されるようになっているので、フレーム周波数が現在パネルの特性が６０Ｈｚで最適化されたものであれば、当然６０Ｈｚ条件でタイミングコントロール部４４０などの駆動条件も最適化される。しかし、いままでの一般的なモニターのディスプレイは、グラフィックソース３００から出力される信号がＶＥＳＡなど標準規格信号に固定されたものを液晶パネルディスプレイモジュール４００で受けて、オプションボードとタイミングコントローラーの演算処理によってある程度ＦＲＣやＩ/Ｏフォーマットなどを調整して出力することが可能であるが、グラフィックソース３００から出力される信号自体がＦＲＣやＩ/Ｏフォーマットなどが調整されるようにする場合はない。特に、長くなっているブランキング時間は、ＣＲＴの走査方式にだけ必要であり、液晶パネルディスプレイのようにデジタル信号処理によるアクティブマトリックス方式などのディスプレイでは不要であるので、これを最大限に除去すれば液晶パネルの駆動においていろいろ有利になる。
【００２６】
これにより、本発明の実施例による液晶表示装置において、オプションボードを使わずにグラフィックソース３００から出力される信号自体のＦＲＣやＩ/Ｏフォーマットなどが調整できるだけでなく、ブランキング時間も調整できる。その動作過程は次の通りである。
図２に示されたような本発明の実施例による液晶表示装置の動作は次の通りである。まず、ＰＣ本体などのようなグラフィックソース３００とＤＶＩまたはＤ−ＳＵＢコネクタ４１０を通じて所定のケーブル３１１、３１２に連結されている液晶パネルディスプレイモジュール（またはモニター）４００に、全体動作のために設置されている所定の電源が付けられることで、メモリ部４３０に保存されている液晶パネルの表示特性情報はＤＤＣ情報としてシリアルバス４１１、４１２を通じてグラフィックソース部３１０に伝送される。グラフィックソース部３１０は、このような情報を解釈することで、その解釈結果に対応する各種のディスプレイ信号を所定のケーブル３１１、３１２を通じて液晶パネルディスプレイモジュール４００に伝送する。
【００２７】
この時、従来の技術とは異なって、グラフィックソース部３１０と液晶パネルディスプレイモジュール４００のメモリ部４３０との間の共有ＤＤＣ情報に前記液晶パネルの表示特性情報が含まれるようにする。この時、このような液晶パネルの表示特性情報は使用者が所定のアプリケーションプログラムなどによって変更することができ、このように変更された情報は再びメモリ部４３０で更新され、このような液晶表示装置を再び使用する時はメモリ部４３０に更新された情報通りにグラフィックソース部３１０が読み出して解釈する。つまり、使用者は、液晶パネルに合う最適条件をグラフィックソース３００に修正入力（recommand）することによって、グラフィックソース部（ＰＣ、その他のディスプレイシステム）３１０で入力タイミングを直接調整することができるようになっている。
【００２８】
ここで、使用者が所定のアプリケーションプログラムなどによって変更できる液晶パネルの表示特性情報には、前述したようにＦＲＣ、Ｉ/Ｏフォーマットの他にもスクリーンに現れる画面表示（輝度、ガンマ、フリッカーなど）情報などがある。特に、標準規格になっている映像信号に存在するブランキング時間までも調整可能になっていて、液晶ディスプレイモジュール４００はＶＥＳＡ規格信号とは異なる新たな規格の信号を受けて動作するようになる。
【００２９】
つまり、グラフィックソース部３１０で発生する従来のディスプレイ信号は図３に示すように、同期信号部分（ａ）、バックポーチ（ｂ）、映像データが載せてある部分（ｃ）、及びフロントポーチ（ｄ）からなり、バックポーチ（ｂ）がフロントポーチ（ｄ）より多少長いことを特徴とする。反面、本発明の実施例によってブランキング時間が調整されれば、図４に示すように、映像データが載せてある部分（ｇ）が相対的に長くなり、他の同期信号部分（ｅ）、バックポーチ（ｆ）、及びフロントポーチ（ｈ）などは液晶パネルの駆動のための信号処理に必要な適当な部分だけが残っていて、できるだけ狭まるようになる。前記で使用者が所定の応用プログラムなどによってブランキング時間を調整するというのは、ディスプレイ信号の規格情報、つまり、映像データが載せてある部分（ｇ）、同期信号部分（ｅ）、バックポーチ（ｆ）、及びフロントポーチ（ｈ）などに対する時間を定義し、グラフィックソース部３１０が新たな規格のディスプレイ信号を生成するようにすることを言う。
【００３０】
前述したように、メモリ部４３０に新たな表示特性情報が更新されれば、グラフィックソース部３１０はこの情報を読み出して解釈することによりそれに合うディスプレイ信号を生成して液晶パネルディスプレイモジュール４００に伝送する。この時、伝送されたディスプレイ信号は、シリアルバス４１１、４１２を通じてＤ/Ａ変換部４２０とタイミングコントロール部４４０にも共に共有されている。タイミングコントロール部４４０は、液晶パネルを駆動するのに必要な映像信号と各種の制御信号を生成して配線４４１に沿ってＰＣＢモジュールの各対応回路に供給する。Ｄ/Ａ変換部４２０もやはりメモリ部４３０に保存された表示特性情報によってタイミングコントロール部４４０の制御を受けて、ガンマ、フリッカー、輝度などの状態に対するデジタルデータをＤ/Ａ変換して配線４２１に沿ってＰＣＢモジュールの各対応回路に供給する。
【００３１】
前記のように、使用者が所定のアプリケーションプログラムなどによって、画面の表示状態を示す画面表示（輝度、ガンマ、フリッカーなど）データを調整するようになれば、Ａ/Ｄボードなど追加的なオプションボードなく既存のＯＳＤ機能もデジタル処理によって実現できるようになるので、液晶パネルに固有なガンマ値を全領域活用することができる。つまり、図５に示すように、従来のＡ/Ｄボードなどオプションボードを使用する場合には、回路の特性上、ブライトを調整する時（Ａ）には基準ガンマ変化（Ｒ）に比べて最高階調近くの階調値が喪失し、コントラストを調整する時（Ｂ）には最低階調近くの階調値を喪失するが、図６に示すように、本発明の実施例によってデジタル処理するようにすれば、ブライトを調整（Ｃ）したりコントラストを調整（Ｄ）しても殆ど基準ガンマ変化（Ｒ）に近接するガンマ変化を維持するので液晶パネルの表示能力を最大限に活用することができる。
【００３２】
一方、使用者が所定のアプリケーションプログラムなどを通じて、画面の表示状態を示す液晶パネルの表示特性情報を調整して実現することができるが、また、これは全てのモニターでＯＳＤ機能を支援するように前記液晶表示装置の外部に所定のキーを設置して使用者に所定のデータを入力するようにすることと併用して実現することもできる。
前述のように、本発明の実施例によって、シリアルバスを通じてグラフィックソース部３１０から出力されるディスプレイ信号を受けて処理し表示する液晶表示装置において、前記グラフィックソース部３１０がシリアルバスを通じて液晶パネルディスプレイモジュール４００で液晶パネルの表示特性情報を読み出して解釈することによって、対応されている新たな規格のディスプレイ信号を出力することができる。ここで、前記液晶パネルの表示特性情報は、使用者が所定のプログラムを使用して所定のデータを入力し、そのデータに対応して前記グラフィックソース部３１０でシリアルバスに出力する所定の信号によって変更可能であるだけでなく、使用者が前記液晶パネル表示装置の外部に設置された所定のキーを使用して所定のデータを入力することによっても変更できる。
【００３３】
前記に記述された、本発明の実施例による液晶表示装置に関する説明は、液晶表示装置の以外にも、ＰＣＢモジュール上での駆動方式が類似しているプラズマ表示装置（ＰＤＰ）や有機ＥＬ表示装置などの一般的なフラットパネル表示装置にもそのまま適用でき、本発明は前記請求範囲から逸脱しない範囲内で様々な変更及び実施が可能である。
【産業上の利用可能性】
【００３４】
本発明は、液晶表示装置、プラズマ表示装置、ＥＬ表示装置、その他各種フラットパネル表示装置に適用することが可能である。
【符号の説明】
【００３５】
１０  メインＰＣＢ
２０  ロードライバー
３０  カラムドライバー
４０  フラットパネル
５０  ロードライバー制御信号
５１  電源
６１  階調電圧
３００  グラフィックソース
３１０  グラフィックソース部
３１１、３１２  ケーブル
４００  液晶パネルディスプレイモジュール
４１０  シリアルバース用コネクタ
４１１、４１２  シリアルバース
４２０  Ｄ／Ａ変換部
４３０  メモリ部
４４０  タイミングコントロール部
４４１  配線
【図１】
0005061148.tif 000002
【図２】
0005061148.tif 000003
【図３】
0005061148.tif 000004
【図４】
0005061148.tif 000005
【図５】
0005061148.tif 000006
【図６】
0005061148.tif 000007